(57)【要約】      （修正有）【課題】柱の軸力と靭性が効果的に向上し、建造物の耐震性を向上することができる二重巻補強方法を提供する。【解決手段】二重巻補強方法は、主筋建込み工程と、補強スターラップ巻付け工程と、補強筋両端巻付け工程とを含む。主筋建込み工程では、複数の主筋１０を垂直に配設して矩形に配置する。補強スターラップ巻付け工程では、複数の主筋の周囲に補強スターラップ２０を水平に巻き付け、補強スターラップを矩形に巻きつけ、主筋を複数の対向主筋対として規定する。補強筋両端巻付け工程では、各補強筋は第１端部及び第２端部を有する。各補強筋の第１端部は、各対向主筋対の一方の主筋に固定されている。各補強筋の第２端部は、補強スターラップと対向主筋対の他方の主筋とに巻き付けられている。【選択図】図２
2019120118.tif 000002
【特許請求の範囲】
【請求項１】
複数の主筋を垂直に配設して矩形に配置する主筋建込み工程と、
前記複数の主筋の周囲に補強スターラップを水平に巻き付ける補強スターラップ巻付け工程であって、前記補強スターラップを矩形に巻きつけ、前記主筋を複数の対向主筋対として規定する、補強スターラップ巻付け工程と、
補強筋両端巻付け工程であって、複数の補強筋を用意し、各補強筋を前記複数の対向主筋対のそれぞれに巻き付け、各補強筋が第１端部と第２端部とを有し、各補強筋の前記第１端部を前記対向主筋対の一方の主筋に固定し、各補強筋の前記第２端部を前記補強スターラップと前記対向主筋対の他方の主筋とに巻き付ける補強筋両端巻付け工程と、
を含む二重巻補強方法。
【請求項２】
前記補強筋両端巻付け工程において、各対向主筋対はその２つの側に配設された２本の補強筋をそれぞれ有し、
前記２本の補強筋は第１補強筋と第２補強筋として規定され、
前記第１補強筋の第１端部は前記対向主筋対の一方の主筋に固定され、
前記第１補強筋の第２端部は前記対向主筋対の他方の主筋と前記補強スターラップとに巻き付けられ、
前記第２補強筋の第１端部は前記対向主筋対の一方の主筋に固定され、
前記第２補強筋の第２端部は前記対向主筋対の他方の主筋と前記補強スターラップとに巻き付けられ、
前記第１補強筋の前記第２端部は前記第２補強筋の前記第１端部と前記補強スターラップとに巻き付けられ、
前記第２補強筋の前記第２端部は前記第１補強筋の前記第１端部と前記補強スターラップとに斜めに巻き付けられていることを特徴とする請求項１に記載の二重巻補強方法。
【請求項３】
前記補強筋両端巻付け工程において、各対向主筋対はその１つの側に配設された２本の補強筋をそれぞれ有し、
前記２本の補強筋は第１補強筋と第２補強筋として規定され、
前記第１補強筋の第１端部は前記対向主筋対の一方の主筋に固定され、
前記第１補強筋の第２端部は前記対向主筋対の他方の主筋と前記補強スターラップとに巻き付けられ、
前記第２補強筋の第１端部は前記対向主筋対の一方の主筋に固定され、
前記第２補強筋の第２端部は前記対向主筋対の他方の主筋と前記補強スターラップとに巻き付けられ、
前記第１補強筋の前記第２端部は前記第２補強筋の前記第１端部と前記補強スターラップとに巻き付けられ、前記第１補強筋は前記第２補強筋の上にあり、
前記第１補強筋の前記第２端部は前記第２補強筋の前記第１端部と前記補強スターラップとに斜めに巻き付けられていることを特徴とする請求項１に記載の二重巻補強方法。
【請求項４】
複数の対向主筋対と、
前記複数の主筋に巻き付けられた補強スターラップと、
複数の補強筋とを含み、
各補強筋は前記複数の対向主筋対のそれぞれに巻き付けられ、かつ
前記対向主筋対の一方の主筋に固定された第１端部と、
前記対向主筋対の他方の主筋と補強スターラップとに巻き付けられた第２端部と、を有することを特徴とする二重巻補強構造。
【請求項５】
各対向主筋対は、２本の対向主筋の２つの側に配設された２本の補強筋を有し、
前記２本の補強筋は第１補強筋と第２補強筋として規定され、
前記第１補強筋の第１端部は前記対向主筋対の一方の主筋に固定され、
前記第１補強筋の第２端部は前記主筋と前記補強スターラップとに巻き付けられ、
前記第２補強筋の第１端部は前記主筋に固定され、
前記第２補強筋の第２端部は前記主筋と前記補強スターラップとに巻き付けられていることを特徴とする請求項４に記載の二重巻補強構造。
【請求項６】
前記第１補強筋の前記第２端部は前記第２補強筋の前記第１端部と前記補強スターラップとに巻き付けられ、
前記第２補強筋の前記第２端部は前記第１補強筋の前記第１端部と前記補強スターラップとに巻き付けられていることを特徴とする請求項５に記載の二重巻補強構造。
【請求項７】
各対向主筋対は、前記対向主筋対の１つの側に配設された２本の補強筋を有し、
前記２本の補強筋は第１補強筋と第２補強筋として規定され、
前記第１補強筋の第１端部は前記対向主筋対の一方の主筋に固定され、
前記第１補強筋の第２端部は前記対向主筋対の他方の主筋と前記補強スターラップとに巻き付けられ、
前記第２補強筋の第１端部は前記対向主筋対の一方の主筋に固定され、
前記第２補強筋の第２端部は前記対向主筋対の他方の主筋と前記補強スターラップとに巻き付けられていることを特徴とする請求項４に記載の二重巻補強構造。
【請求項８】
前記第１補強筋は前記第２補強筋の上にあり、前記第１補強筋の前記第２端部は前記第２補強筋の前記第１端部と前記補強スターラップとに巻き付けられていることを特徴とする請求項７に記載の二重巻補強構造。
【請求項９】
各補強筋の前記第２端部は各対向主筋対の一方の主筋と前記補強スターラップとに１３５°で巻き付けられていることを特徴とする請求項４から８のいずれか一項に記載の二重巻補強構造。
【請求項１０】
各補強筋の前記第２端部は各対向主筋対の一方の主筋と前記補強スターラップとに１８０°で巻き付けられていることを特徴とする請求項４から８のいずれか一項に記載の二重巻補強構造。
【発明の詳細な説明】
【技術分野】
【０００１】
本発明は建設において鉄筋を補強する補強方法に関し、特には二重巻補強方法及び二重巻補強方法で製造された製品に関する。
【背景技術】
【０００２】
補強構造は、主筋を包囲して固定し、主筋が外側に曲がるのを防ぐために主に適用される。したがって、補強構造の２つの端部が屈曲する角に、主筋を正確に位置決めする必要がある。正確に位置決めされないと、主筋を包囲して固定する効果が影響を受け、建造物の耐震強度が低下するおそれがある。
【０００３】
図１１から１４を参照すると、従来の一重巻補強構造は、複数の主筋７０、補強スターラップ８０、及び複数の補強筋９０を有する。複数の主筋７０は垂直に配設され、矩形に配置される。補強スターラップ８０は、複数の主筋７０に巻き付けられている。各補強筋９０は、２本の主筋７０に水平に取り付けられている。各補強筋９０は、第１端部９１及び第２端部９２を有する。各補強筋９０の第１端部９１は主筋７０のうち１本に巻き付けられ、９０°の角度で屈曲されている。各補強筋９０の第２端部９２は主筋７０のうち１本に１３５°で巻き付けられている。
【０００４】
しかしながら、従来の一重巻補強構造を建設現場に設置する際、各補強筋９０が固定長で屈曲されていることから、建設現場が異なると、複数の主筋７０がずれるおそれがある。図１２を参照すると、補強筋９０の一方の端部は主筋７０を包囲するが、補強筋９０の他方の端部は主筋７０を完全に包囲できず、ずれた主筋７１を正確に位置決めするのは困難である。したがって、柱の強度と、有効包囲面積（破線で示された面積）が影響を受け、建設現場の耐震強度が期待される効果に達しないおそれがある。
【０００５】
図１３及び１４を参照すると、実験室で補強構造が適用されている。主筋７０は正確に位置決め可能で、補強筋９０の第１端部９１が、一方の主筋７０に１３５°で水平に巻き付けられている。補強筋９０の第２端部９２は、他方の主筋７０に水平に巻き付けられている。有効包囲面積は図１１及び１２に示されているものよりも大きいが、実験室においては補強筋９０は主筋７０の上から下へ巻き付けられており、現実の建設現場においてこれを実施するのは困難である。
【発明の概要】
【発明が解決しようとする課題】
【０００６】
本発明の主要な目的は、二重巻補強方法及び二重巻補強方法で製造された製品を提供することである。
【課題を解決するための手段】
【０００７】
二重巻補強方法は、主筋建込み工程と、補強スターラップ巻付け工程と、補強筋両端巻付け工程とを含む。主筋建込み工程では、複数の主筋を垂直に配設して矩形に配置する。補強スターラップ巻付け工程では、複数の主筋の周囲に補強スターラップを水平に巻き付け、補強スターラップを矩形に巻きつけ、主筋を複数の対向主筋対として規定する。補強筋両端巻付け工程では、各補強筋は第１端部及び第２端部を有する。各補強筋の第１端部は、各対向主筋対の一方の主筋に固定されている。各補強筋の第２端部は、補強スターラップと上記対向主筋対の他方の主筋とに巻き付けられている。
【０００８】
本発明のその他の目的、利点、新規な特徴が、添付の図面と共に、以下の詳細な説明を通じてより明らかにされる。
【図面の簡単な説明】
【０００９】
【図１】本発明の二重巻補強方法の第１実施形態のブロック図である。
【図２】図１の方法により製造された二重巻補強構造の第１実施形態の部分斜視図である。
【図３】図２の二重巻補強構造の上面図である。
【図４】図２の二重巻補強構造の側面図である。
【図５】図１の二重巻補強構造の上面図であり、補強構造の包囲面積を示す図である。
【図６】図１の方法により製造された二重巻補強構造の第２実施形態の部分斜視図である。
【図７】図６の二重巻補強構造の上面図である。
【図８】図１の方法により製造された二重巻補強構造の第３実施形態の斜視図である。
【図９】図８の二重巻補強構造の上面図である。
【図１０】図１の方法により製造された二重巻補強構造の第４実施形態の斜視図である。
【図１１】従来の一重巻補強構造の斜視図である。
【図１２】図１１の従来の一重巻補強構造の上面図であり、従来の一重巻補強構造の包囲面積を示す図である。
【図１３】別の従来の一重巻補強構造の斜視図である。
【図１４】図１３の従来の一重巻補強構造の上面図であり、従来の一重巻補強構造の包囲面積を示す図である。
【発明を実施するための形態】
【００１０】
図１から４を参照すると、本発明の二重巻補強方法の第１実施形態は、主筋建込み工程Ｓ１と、補強スターラップ巻付け工程Ｓ２と、補強筋両端巻付け工程Ｓ３とを含む。
主筋建込み工程Ｓ１では、複数の主筋１０を垂直に配設して矩形に配置する。
【００１１】
補強スターラップ巻付け工程Ｓ２では、複数の主筋１０に補強スターラップ２０が水平に巻き付け、補強スターラップ２０は矩形に巻き付けられる。
【００１２】
補強筋両端巻付け工程Ｓ３では、複数の補強筋３０を用意し、各補強筋３０を２本の対向主筋１０に巻き付ける。各補強筋３０は、第１端部３０１及び第２端部３０２を有する。各補強筋３０の第１端部３０１は、対向主筋１０の一方の主筋に固定される。各補強筋３０の第２端部３０２は補強スターラップ２０と他方の主筋１０とに１３５°で巻き付けられる。すなわち、各補強筋３０の第２端部３０２は補強スターラップ２０と他方の主筋１０とに斜めに巻き付けられる。
【００１３】
補強方法の第１実施形態を採用する場合、各補強筋３０の第２端部３０２は、補強スターラップ２０と他方の主筋１０とに１３５°で巻き付けられるため、各補強筋３０は主筋１０と補強スターラップ２０とに同時に巻き付けられる。したがって、各補強筋３０の拘束力が向上する。図５を参照すると、第１実施形態の包囲面積が増加している。主筋１０１、１０２（破線の箇所）がずれた場合でも、包囲面積に主筋１０１、１０２を収容できる。柱の軸力と靭性が効果的に向上し、建造物の耐震性が向上する。
【００１４】
図６及び７を参照すると、本発明の二重巻補強方法の第２実施形態は、以下の特徴を除いては第１実施形態と略同様である。補強筋両端巻付け工程Ｓ３では、２本の補強筋３０を２本の対向主筋１０の２つの側に配設する。２本の補強筋３０は第１補強筋３１及び第２補強筋３２として規定される。第１補強筋３１は、第１端部３１１及び第２端部３１２を有する。第２補強筋３２は、第１端部３２１及び第２端部３２２を有する。第１補強筋３１の第１端部３１１は、主筋１０に固定される。第１補強筋３１の第２端部３１２は主筋１０と補強スターラップ２０とに１３５°で巻き付けられる。第２補強筋３２の第１端部３２１は主筋１０に固定される。第２補強筋３２の第２端部３２２は他方の主筋１０と補強スターラップ２０とに１３５°で巻き付けられる。更に、第１補強筋３１の第２端部３１２は、第２補強筋３２の第１端部３２１と補強スターラップ２０とに、上から下へ巻き付けられる。第２補強筋３２の第２端部３２２は、第１補強筋３１の第１端部３１１と補強スターラップ２０とに、上から下へ巻き付けられる。
【００１５】
補強方法の第２実施形態を採用する場合、各主筋１０の２つの側に２本の補強筋３０が配設され、第１補強筋３１の第２端部３１２が主筋１０と補強スターラップ２０とに１３５°で巻き付けられ、第２補強筋３２の第２端部３２２が他方の主筋１０と補強スターラップ２０とに１３５°で巻き付けられる。主筋１０の構造強度が向上し、主筋１０の耐震強度が向上する。
【００１６】
図８及び９を参照すると、本発明の二重巻補強方法の第３実施形態は、以下の特徴を除いては第１実施形態と略同様である。補強筋両端巻付け工程Ｓ３では、２本の補強筋３０Ａを２本の対向主筋１０の１つの側に配設する。２本の補強筋３０Ａは第１補強筋３１Ａ及び第２補強筋３２Ａとして規定される。第１補強筋３１Ａは、第１端部３１１Ａ及び第２端部３１２Ａを有する。第２補強筋３２Ａは、第１端部３２１Ａ及び第２端部３２２Ａを有する。第１補強筋３１Ａの第１端部３１１Ａは、主筋１０に固定される。第１補強筋３１Ａの第２端部３１２Ａは他方の主筋１０と補強スターラップ２０とに１３５°で巻き付けられる。第２補強筋３２Ａの第１端部３２１Ａは主筋１０に固定される。第２補強筋３２Ａの第２端部３２２Ａは他方の主筋１０と補強スターラップ２０とに１３５°で巻き付けられる。更に、第１補強筋３１Ａは第２補強筋３２Ａの上にある。第１補強筋３１Ａの第２端部３１２Ａは、第２補強筋３２Ａの第１端部３２１Ａと補強スターラップ２０とに斜めに巻き付けられる。
【００１７】
補強方法の第３実施形態を採用する場合、２本の対向主筋１０の同じ側に２本の補強筋３０Ａが配設され、第１補強筋３１Ａの第２端部３１２Ａが他方の主筋１０と補強スターラップ２０とに１３５°で巻き付けられ、第２補強筋３２Ａの第２端部３２２Ａが他方の主筋１０と補強スターラップ２０とに１３５°で巻き付けられる。したがって、主筋１０の構造強度が向上し、主筋１０の耐震強度が向上する。
【００１８】
図１０を参照すると、本発明の二重巻補強方法の第４実施形態は、以下の特徴を除いては第１実施形態と略同様である。補強筋両端巻付け工程Ｓ３では、各補強筋３０Ｂの第２端部３０２Ｂは他方の主筋１０と補強スターラップ２０とに１８０°で巻き付けられる。すなわち、各補強筋３０Ｂの第２端部３０２Ｂは他方の主筋１０と補強スターラップ２０とに斜めに巻き付けられる。第４実施形態の操作法は第１実施形態と同様であり、詳細な説明は省略する。
【図１】
2019120118.tif 000003
【図２】
2019120118.tif 000004
【図３】
2019120118.tif 000005
【図４】
2019120118.tif 000006
【図５】
2019120118.tif 000007
【図６】
2019120118.tif 000008
【図７】
2019120118.tif 000009
【図８】
2019120118.tif 000010
【図９】
2019120118.tif 000011
【図１０】
2019120118.tif 000012
【図１１】
2019120118.tif 000013
【図１２】
2019120118.tif 000014
【図１３】
2019120118.tif 000015
【図１４】
2019120118.tif 000016